(57)【要約】【課題】フルフェイスヘルメットにおいて、顔面シールドの開閉作動を、直接手を触れずに遠隔操作にて行えるようにする。【解決手段】装着者の頭部を覆うように形成されたヘルメット帽体１と、ヘルメット帽体１の前方開口部１１のところに設けられるものであって開閉作動が可能なように形成された透明体からなる顔面シールド２と、からなる。ヘルメット帽体１のところに、電波発信装置７からの電波を受信する受信装置６、当該受信装置６にて受信された信号に基づいて作動するものであって上記顔面シールド２の開閉作動を担う電動モータ３、電動モータ３の作動を制御するものであってＭＰＵを主に形成される制御手段５、及び電動モータ３への電力供給を担うバッテリ９を設けるようにした。【選択図】図１
2009209463.tif 000002
【特許請求の範囲】
【請求項１】
装着者の頭部を覆うように形成されたヘルメット帽体と、当該ヘルメット帽体の前方開口部のところに設けられるものであって開閉作動が可能なように形成された透明体からなる顔面シールドと、からなるフルフェイスヘルメットにおいて、上記ヘルメット帽体のところに、電波発信装置からの電波を受信する受信装置、当該受信装置にて受信された信号に基づいて作動するものであって上記顔面シールドの開閉作動を担う電動モータ、当該電動モータの作動を制御するものであってＭＰＵを主に形成される制御手段、及び上記電動モータへの電力供給を担うバッテリを設けるようにした構成からなることを特徴とするフルフェイスヘルメット。
【請求項２】
請求項１記載のフルフェイスヘルメットにおいて、上記顔面シールドの開閉作動を担う電動モータを本顔面シールドの上記ヘルメット帽体への取付部のところに所定のギヤ装置を介して設けるようにするとともに、このような電動モータの作動制御を、別途設けられた電波発信装置から発せられる電波信号を受けて作動する制御手段からの指令に基づいて行なわせるようにした構成からなることを特徴とするフルフェイスヘルメット。
【請求項３】
請求項２記載のフルフェイスヘルメットにおいて、上記ギヤ装置をウオーム・ギヤ機構からなるようにしたことを特徴とするフルフェイスヘルメット。
【発明の詳細な説明】
【技術分野】
【０００１】
本発明は、透明体からなる顔面シールドを有するものであって、当該顔面シールドの開閉作動を、当該顔面シールドの取付部に設けられた電動モータにて行なわせるとともに、当該電動モータの作動制御を別途設けられた電波発信装置からの電波（マイクロ波）にて行なわせるようにした、遠隔操作にて作動する顔面シールドを有するフルフェイスヘルメットに関するものである。
【背景技術】
【０００２】
従来の、この種のものとしては、例えば特開２００３−８２５１８号公報記載のものの如く、装着者の顔面部を覆うように形成された透明体からなる顔面シールドの、その開閉作動が装着者の手指にて行なわれるようになっているもの等が挙げられる。
【特許文献１】特開２００３−８２５１８号公報
【発明の開示】
【発明が解決しようとする課題】
【０００３】
ところで、上記顔面シールドの開閉作動が装着者の手指にて行なわれるようになっているものにおいては、装着者が二輪車のドライバーであるような場合においては、装着者は原則として分厚い手袋を嵌めているものであり、手指の動作が制限されることとなる。従って、このような分厚い手袋を嵌めた状態での上記顔面シールドの開閉作動は円滑に行ない得ないと言う問題点がある。このような問題点を解決するために、上記顔面シールドの開閉作動を電動モータにて行なわせるとともに、この電動モータの作動制御を、別途ハンドルグリップ等に設けられた電波発信装置からの発信電波を介して遠隔操作にて行わせるようにした、顔面シールド付きのフルフェイスヘルメットを提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、装着者の頭部を覆うように形成されたヘルメット帽体と、当該ヘルメット帽体の前方開口部のところに設けられるものであって開閉作動が可能なように形成された透明体からなる顔面シールドと、からなるフルフェイスヘルメットに関して、上記ヘルメット帽体のところに、電波発信装置からの電波を受信する受信装置、当該受信装置にて受信された信号に基づいて作動するものであって上記顔面シールドの開閉作動を担う電動モータ、当該電動モータの作動を制御するものであってＭＰＵを主に形成される制御手段、及び上記電動モータへの電力供給を担うバッテリを設けるようにした構成を採ることとした。
【０００５】
次に、請求項２記載の発明である第二の発明について説明する。このものも、その基本的な点は上記請求項１記載の発明である第一の発明と同じである。すなわち、本発明は、請求項１記載のフルフェイスヘルメットに関して、上記顔面シールドの開閉作動を担う電動モータを本顔面シールドの上記ヘルメット帽体への取付部のところに所定のギヤ装置を介して設けるようにするとともに、このような電動モータの作動制御を、別途設けられた電波発信装置から発せられる電波信号を受けて作動する制御手段からの指令に基づいて行なわせるようにした構成を採ることとした。
【０００６】
次に、請求項３記載の発明である第三の発明について説明する。このものも、その基本的な点は上記請求項２記載の発明である第二の発明と同じである。すなわち、本発明は、請求項２記載のフルフェイスヘルメットに関して、上記ギヤ装置をウオーム・ギヤ機構からなるようにした構成を採ることとした。
【発明の効果】
【０００７】
第一の発明によれば、本ヘルメット装着者は、別途設けられた電波発信装置から所定の電波を発信させることによって、ヘルメット帽体上に設けられた受信装置及び電動モータ等を作動させ、これによって顔面シールドの開閉作動を遠隔操作にて行なわせることができるようになる。その結果、本ヘルメット装着者は顔面シールドの開閉操作を、顔面シールドのところに直接手をかけずに行なうことができるようになる。
【０００８】
また、第二の発明のものにおいても、上記第一の発明のものと同様、本ヘルメット装着者は、顔面シールドの開閉操作を、顔面シールドに手を掛けない状態で行なうことができるようになる。すなわち、分厚い手袋を嵌めた状態において、別途設けられた電波発信装置の操作ボタン等をＯＮ作動させることによって顔面シールドの開閉操作を行なわせることができるようになる。
【０００９】
また、第三の発明のものにおいては、顔面シールドの駆動が、顔面シールドのヘルメット帽体への取付部のところに設けられた電動モータ及びウオーム・ギヤ機構を介して行なわれるようになっていることより、上記顔面シールドの開閉作動が遠隔操作にて、円滑に、かつ、迅速に行なわれることとなる。
【発明を実施するための最良の形態】
【００１０】
本発明を実施するための最良の形態について、図１ないし図３を基に説明する。このものは、例えば、図１に示す如く、装着者の頭部を被うように形成されるものであってＦＲＰ等の熱硬化性プラスチック材にて一体的に形成されるヘルメット帽体１と、当該ヘルメット帽体１の前方開口部１１のところに設けられるものであってポリカーボネート樹脂等の熱硬化性プラスチック材からなるものであって透明体からなる顔面シールド２と、からなることを基本とするものである。
【００１１】
このような基本構成からなるものにおいて、上記顔面シールド２は、その両端末部２１、２１’のところがヘルメット帽体１の側面部のところに取付点（Ｏ１）を基点にして回転自在なように取付けられるようになっているものである。このような構成を採ることにより、上記顔面シールド２は、上記取付点（Ｏ１）を支点にして上方へ持上げることができるようになり、ヘルメット装着者は、上記顔面シールド２を必要に応じて開閉作動させることができるようになる。また、このような構成からなる顔面シールド２の、その取付点（Ｏ１）のところには、電動モータ（サーボモータ）３が設けられるようになっている。この電動モータ３の作動によって上記顔面シールド２の開閉作動が行なわれるようになっているものである。なお、このような取付点（Ｏ１）のところには、上記顔面シールド２の取付部の保護を図るためのカバー２９が設けられるようになっている。
【００１２】
上記サーボモータからなる電動モータ３の作動制御は、本ヘルメット帽体１の所定の位置に設けられた制御手段５からの指令に基づいて行なわれるようになっているものである。なお、本制御手段５は、ＭＰＵ（マイクロプロセッサユニット）を主に形成されるコンピュータ機構からなるものである。そして、このような制御手段５へは本ヘルメット帽体１を形成するチンガード１６（図１参照）等に設けられた受信装置（アンテナ）６を介して、別途設けられた電波発信装置７からの信号（指令）が入力されるようになっているものである。この入力信号を受けて上記制御手段５は所定の演算処理を行い、上記電動モータ（サーボモータ）３の作動を促し、顔面シールド２の開閉作動を行なわせるようになっているものである。なお、このようなサーボモータからなる電動モータ３のところにはウオーム・ギヤ機構からなるギヤ装置３５が設けられるようになっている。
【００１３】
このような作動を行なう上記電動モータ３への電力供給は、上記ヘルメット帽体１の所定の位置に設けられたバッテリ９から、ケーブル９９を介して行なわれるようになっているものである。なお、このようなケーブル９９を初めとした電力供給路の一部には、例えば図２に示す如く、スイッチ機構８が設けられるようになっている。そして、このスイッチ機構８を装着者がＯＮ操作することによって、上記電動モータ３への電力供給が行なわれるようになっているものである。また、上記バッテリ９のところには、当該バッテリ９を保護するためのカバー９５が設けられるようになっている。
【００１４】
次に、このような構成からなる本実施の形態のものについての、その作動態様等について説明する。まず、本ヘルメット装着者が二輪車のドライバーである場合について、図３を基に説明する。この場合、本ヘルメット装着者であるドライバーは、ハンドルのグリップ周りに設けられた電波発信装置７を操作し、ここから所定の電波（マイクロ波）を発信させる。この電波発信装置７からの電波（マイクロ波）は、例えば図１に示すヘルメット帽体１のチンガード１６のところに設けられたアンテナを主に形成される受信装置６にて受信される。そして、この受信装置（電波受信装置）６にて受信された信号は所定のケーブル９９を介して制御手段５に入力される。そうすると、この入力信号を受けた制御手段５は、所定の演算処理を行い、顔面シールド２のヘルメット帽体１への取付点（Ｏ１）に設けられた電動モータ３へ、本電動モータ３を作動させるための信号を発信する。これによって、電動モータ３が作動を開始し、当該電動モータ３と一体的に設けられたギヤ装置３５が作動する。なお、本実施の形態においては上記ギヤ装置３５はウオーム・ギヤ機構からなるものである。このようなギヤ装置３５の作動によって、顔面シールド２は、その取付点（Ｏ１）を支点にして回転運動をし、本顔面シールド２の上記ヘルメット帽体１に設けられた前方開口部１１周りでの開閉運動を行なうこととなる。このような一連の作動を経て、顔面シールド２の開閉作動が行なわれることとなる。
【００１５】
このように、本実施の形態のものにおいては、ヘルメット帽体１の前方開口部１１に設けられた顔面シールド２の開閉操作を、ドライバーがハンドルグリップから手を離さずに行なうことができるようになり、顔面シールド２の開閉操作を安全な状態で行なうことができるようになる。すなわち、ドライバーである操作者は、ハンドルグリップに設けられたスイッチ機構等からなる電波発信装置７を操作することによって、当該電波発信装置７から所定の電波を発信させるとともに、この発信電波をヘルメット帽体１に設けられた電波受信装置６にて受信させ、そして、この受信電波を基に電動モータ３、ギヤ装置３５等を作動させて、上記顔面シールド２の開閉作動を自動的に行なわせることができるようになる。その結果、ドライバーは、ハンドルグリップから手を離さずに顔面シールド２の開閉操作を行なうことができるようになり、安全性の向上を図ることができるようになる。
【図面の簡単な説明】
【００１６】
【図１】本発明の主要部を成す電波受信装置側の全体構成を示す展開斜視図である。
【図２】本発明にかかるスイッチ機構の位置を示す構成図である。
【図３】本発明にかかる電波発信装置と電波受信装置との関係を示す全体構成図である。
【符号の説明】
【００１７】
１  ヘルメット帽体
１１  前方開口部
１６  チンガード
２  顔面シールド
２１  端末部
２１’  端末部
２９  カバー
３  電動モータ
３５  ギヤ装置
５  制御手段
６  受信装置（電波受信装置）
７  電波発信装置
８  スイッチ機構
９  バッテリ
９５  カバー
９９  ケーブル
【図１】
2009209463.tif 000003
【図２】
2009209463.tif 000004
【図３】
2009209463.tif 000005